(57)【要約】【課題】簡易作業服についても、簡単に電動ファンを取り付け得るようにする。【解決手段】ブレード２６及びこれを駆動する駆動部２８を備えかつ外周に鍔部２４ａを備えたファン本体部２１と、このファン本体部２１の外周面上に係止され、鍔部２４ａと共に被取付物を挟持するリング部材２２とを備えた電動ファン２０を、不織布からなる衣服本体１２を有する使い捨て防護服１０（簡易作業服）に取り付けるためのアタッチメント１。アタッチメント１は、ファン本体部２１を挿入可能な孔部３を有する偏平かつ平面視で環状を成し、前記不織布よりも強度の高いシート体からなる第１層部２ａと、第１層部２ａの片面に形成され、衣服本体１２に貼着可能な粘着層からなる第２層部２ｂとを含み、かつ、第２層部２ｂの表面に剥離可能な保護シート４が貼着されている。【選択図】図１
2020033927.tif 000002
【特許請求の範囲】
【請求項１】
ブレード及びこれを駆動する駆動部を備えかつ外周に鍔部を備えたファン本体部と、このファン本体部の外周面上に係止され、前記鍔部と共に被取付物を挟持するリング部材とを備えた電動ファンを、不織布からなる衣服本体を有する簡易作業服に取り付けるためのアタッチメントであって、
前記ファン本体部のうち前記鍔部以外の部分を挿入可能な孔部を有する偏平かつ平面視で環状を成し、前記不織布よりも強度の高いシート体からなる第１層部と、
前記第１層部の片面に形成され、前記衣服本体に貼着可能な粘着層からなる第２層部と、を含み、
前記第２層部の表面に、剥離可能な保護シートが貼着されている、ことを特徴とするファン取付用アタッチメント。
【請求項２】
請求項１に記載のファン取付用アタッチメントにおいて、
全周に亘って少なくとも前記鍔部の幅寸法と同等以上の幅寸法を有する、ことを特徴とするアタッチメント。
【請求項３】
請求項１又は２に記載のアタッチメントにおいて、
前記第１層部の反第２層部側の表面に滑り止めが形成されている、ことを特徴とするアタッチメント。
【請求項４】
不織布からなる衣服本体と、
この衣服本体の所定位置であって当該衣服本体の外面又は内面の少なくとも一方の面に取り付けられた補強部材と、を備えた簡易作業服であって、
前記補強部材は、電動ファンを挿入可能な孔部を有する偏平かつ平面視で環状を成し、前記不織布よりも強度の高いシート体からなることを特徴とする簡易作業服。
【請求項５】
請求項４に記載の簡易作業服において、
前記電動ファンは、ブレード及びこれを駆動する駆動部を備えかつ外周に鍔部を備えたファン本体部と、このファン本体部の外周面上に係止され、前記鍔部と共に被取付物を挟持するリング部材とを備えた構成を有するものであって、
前記補強部材の孔部は、前記ファン本体部のうち前記鍔部以外の部分が挿入されることを許容する大きさを有する、ことを特徴とする簡易作業服。
【請求項６】
請求項５に記載の簡易作業服において、
前記補強部材は、その全周に亘って少なくとも前記鍔部の幅寸法と同等以上の幅寸法を有する、ことを特徴とする簡易作業服。
【請求項７】
請求項４乃至６の何れか一項に記載の簡易作業服において、
前記衣服本体は、着用者の上半身又は略全身を覆う形状を有し、
前記補強部材は、前記衣服本体のうち腰に対応する位置の左右２箇所に設けられている、ことを特徴とする簡易作業服。
【請求項８】
請求項４乃至７の何れか一項に記載の簡易作業服において、
前記補強部材は、前記衣服本体に貼付けられている、ことを特徴とする簡易作業服。
【請求項９】
請求項４乃至８の何れか一項に記載の簡易作業服において、
前記補強部材の反衣服本体側の表面に滑り止めが形成されている、ことを特徴とする簡易作業服。
【請求項１０】
ブレード及びこれを駆動する駆動部を備えかつ外周に鍔部を備えたファン本体部と、このファン本体部の外周面上に係止され、前記鍔部と共に被取付物を挟持するリング部材とを備えた電動ファンを、不織布からなる衣服本体を有する簡易作業服に取り付ける方法であって、
請求項１乃至３の何れか一項に記載のアタッチメントを準備し、当該アタッチメントから前記保護シートを取り外して、前記第２層部を介して当該アタッチメントを前記衣服本体に貼付けるアタッチメント貼付工程と、
前記衣服本体のうち、前記アタッチメントの内側の領域を切開することにより貫通孔を形成する孔形成工程と、
前記孔形成工程において形成された貫通孔に前記ファン本体部を挿入し、当該ファン本体部の前記鍔部と前記リング部材とで前記アタッチメント及び前記衣服本体を挟み込むように、前記ファン本体部の外周面上に前記リング部材を係止することにより、前記電動ファンを前記衣服本体に組み付けるファン組付工程と、を含むことを特徴とするファン取付方法。
【請求項１１】
請求項５に記載の簡易作業服に、電動ファンを取り付ける方法であって、
前記衣服本体のうち、前記補強部材の内側の領域を切開することにより貫通孔を形成する孔形成工程と、
前記孔形成工程において形成された貫通孔に前記ファン本体部を挿入し、当該ファン本体部の前記鍔部と前記リング部材とで前記補強部材及び前記衣服本体を挟み込むように、前記ファン本体部の外周面上に前記リング部材を係止することにより、前記電動ファンを前記衣服本体に組み付けるファン組付工程と、を含むことを特徴とするファン取付方法。
【発明の詳細な説明】
【技術分野】
【０００１】
本発明は、使い捨て防護服などの簡易作業服に電動ファンを取り付けるためのファン取付用アタッチメント、簡易作業服及びファン取付方法に関するものである。
【背景技術】
【０００２】
従来から、電動ファンを備え、その作動により外気を衣服本体の内側に取り込むことによって身体の冷却を図るように構成された、空調衣服と称する作業服が知られている（例えば特許文献１）。空調衣服は、高温環境の室内外で作業を行う作業者の体温上昇を抑制することができ、夏季の熱中症対策としても有効である。
【先行技術文献】
【特許文献】
【０００３】
【特許文献１】特許第６１９１０２８号公報
【発明の概要】
【発明が解決しようとする課題】
【０００４】
ところで、作業服の一種とし使い捨て防護服などの簡易作業服が知られている。簡易作業服は、不織布など安価で弱い素材で構成された作業服であり、一度又は数度の使用で廃棄することを前提とした作業服である。簡易作業服は、その構造上、電動ファンを取り付けることはそもそも想定されていない。しかし、高温の環境下での作業に使用するような場合には、簡易作業服についても、電動ファンを取り付けて作業を行える方が熱中症対策などの観点から望ましい。
【０００５】
本発明は、上記のような事情に鑑みてなされたものであって、簡易作業服についても、簡単に電動ファンを取り付け得るようにする技術を提供することを目的としている。
【課題を解決するための手段】
【０００６】
本発明の一局面に係るアタッチメントは、ブレード及びこれを駆動する駆動部を備えかつ外周に鍔部を備えたファン本体部と、このファン本体部の外周面上に係止され、前記鍔部と共に被取付物を挟持するリング部材とを備えた電動ファンを、不織布からなる衣服本体を有する簡易作業服に取り付けるためのアタッチメントであって、前記ファン本体部のうち前記鍔部以外の部分を挿入可能な孔部を有する偏平かつ平面視で環状を成し、前記不織布よりも強度の高いシート体からなる第１層部と、前記第１層部の片面に形成され、前記衣服本体に貼着可能な粘着層からなる第２層部と、を含み、前記第２層部の表面に、剥離可能な保護シートが貼着されているものである。
【０００７】
そして、本発明の一の局面に係るファン取付方法は、ブレード及びこれを駆動する駆動部を備えかつ外周に鍔部を備えたファン本体部と、このファン本体部の外周面上に係止され、前記鍔部と共に被取付物を挟持するリング部材とを備えた電動ファンを、不織布からなる衣服本体を有する簡易作業服に取り付ける方法であって、上記に記載のアタッチメントを準備し、当該アタッチメントから前記保護シートを取り外して、前記第２層部を介してアタッチメントを前記衣服本体に貼付けるアタッチメント貼付工程と、前記衣服本体のうち、前記アタッチメントの内側の領域を切開することにより貫通孔を形成する孔形成工程と、前記孔形成工程において形成された貫通孔に前記ファン本体部を挿入し、当該ファン本体部の前記鍔部と前記リング部材とで前記アタッチメント及び前記衣服本体を挟み込むように、前記ファン本体部の外周面上に前記リング部材を係止することにより、前記電動ファンを前記衣服本体に組み付けるファン組付工程と、を含むものである。
【０００８】
上記アタッチメント、及び当該アタッチメントを用いた上記ファン取付方法によれば、不織布などの比較的弱い生地で構成された衣服本体のうち、所望の場所をアタッチメントによって簡単に補強でき、その補強された部分に電動ファンを取り付けることができる。そのため、簡易作業服に対して簡単に、しかも安定的に電動ファンを取り付けることが可能となる。
【０００９】
なお、上記アタッチメントは、全周に亘って少なくとも前記鍔部の幅寸法と同等以上の幅寸法を有するのが好適である。
【００１０】
この構成によれば、ファン本体部の鍔部とリング部材との間に、より確実にアタッチメントと衣服本体とを挟み込むことが可能となる。そのため、簡易作業服に対してより安定的に電動ファンを取り付けることが可能となる。
【００１１】
上記のアタッチメントにおいては、前記第１層部の反第２層部側の表面に滑り止めが形成されているのが好適である。
【００１２】
この構成によれば、アタッチメントに対する電動ファンの位置ずれが効果的に抑制されるため、簡易作業服に取り付けられた電動ファンの位置安定性が向上する。
【００１３】
一方、本発明の一の局面に係る簡易作業服は、不織布からなる衣服本体と、この衣服本体の所定位置であって当該衣服本体の外面又は内面の少なくとも一方の面に取り付けられた補強部材と、を備えた簡易作業服であって、前記補強部材は、電動ファンを挿入可能な孔部を有する偏平かつ平面視で環状を成し、前記不織布よりも強度の高いシート体からなるものである。
【００１４】
より具体的には、前記電動ファンは、ブレード及びこれを駆動する駆動部を備えかつ外周に鍔部を備えたファン本体部と、このファン本体部の外周面上に係止され、前記鍔部と共に被取付物を挟持するリング部材とを備えた構成を有するものであって、前記補強部材の孔部は、前記ファン本体部のうち前記鍔部以外の部分が挿入されることを許容する大きさを有するものである。
【００１５】
そして、本発明の他の一の局面に係るファン取付方法は、上記の簡易作業服に、電動ファンを取り付ける方法であって、前記衣服本体のうち、前記補強部材の内側の領域を切開することにより貫通孔を形成する孔形成工程と、前記孔形成工程において形成された貫通孔に前記ファン本体部を挿入し、当該ファン本体部の前記鍔部と前記リング部材とで前記補強部材及び前記衣服本体を挟み込むように、前記ファン本体部の外周面上に前記リング部材を係止することにより、前記電動ファンを前記衣服本体に組み付けるファン組付工程と、を含むものである。
【００１６】
上記簡易作業服、及び上記ファン取付方法によれば、必要に応じて、簡単に電動ファンを簡易作業服に取り付けることが可能となる。
【００１７】
なお、上記の簡易作業服において、上記補強部材は、その全周に亘って少なくとも前記鍔部の幅寸法と同等以上の幅寸法を有するのが好適である。
【００１８】
この構成によれば、ファン本体部の鍔部とリング部材との間に、より確実に補強部材と衣服本体とを挟み込むことが可能となる。そのため、簡易作業服に対してより安定的に電動ファンを取り付けることが可能となる。
【００１９】
上記の簡易作業服において、前記衣服本体は、着用者の上半身又は略全身を覆う形状を有し、前記補強部材は、前記衣服本体のうち腰に対応する位置の左右２箇所に設けられているのが好適である。
【００２０】
この構成によれば、左右２箇所に電動ファンを取り付けることが可能となり、着用者の体全体に対して、その左右両側から効率良く外気を取り込むことが可能とる。
【００２１】
上記の簡易作業服において、前記補強部材は、前記衣服本体に貼付けられているのが好適である。
【００２２】
この構成によれば、衣服本体への補強部材の取り付け作業が簡素化されるため、補強部材を備える簡易作業服の生産性が向上する。
【００２３】
上記の簡易作業服においては、前記補強部材の反衣服本体側の表面に滑り止めが形成されているのが好適である。
【００２４】
この構成によれば、補強部材に対する電動ファンの位置ずれが効果的に抑制されるため、簡易作業服に取り付けられた電動ファンの位置安定性が向上する。
【発明の効果】
【００２５】
上記の各態様に係る本発明によれば、簡易作業服に対して、簡単に電動ファンを取り付けることが可能となる。
【図面の簡単な説明】
【００２６】
【図１】本発明に係るファン取付用アタッチメントの図であり、（ａ）は、アタッチメントの平面図であり、（ｂ）は、アタッチメントの断面図（（ａ）のＩ−Ｉ線断面図）である。
【図２】使い捨て防護服の背面図である。
【図３】前記ファン取付用アタッチメントを用いた電動ファンの取付方法を説明するための使い捨て防護服の断面図（図２のＩＩ―ＩＩ線断面に相当する図）であり、（ａ）は、ファン取付用アタッチメントを防護服に貼付けた状態の図であり、（ｂ）は、防護服（衣服本体）を切開してファン取付用の貫通孔を形成した状態の図である。
【図４】前記ファン取付用アタッチメントを用いた電動ファンの取付方法を説明するための使い捨て防護服の断面図（図２のＩＩ―ＩＩ線断面に相当する図）であり、（ａ）は、ファン取付前の図であり、（ｂ）は、ファン取付後の図である。
【図５】電動ファンが取り付けられた状態の使い捨て防護服の背面図である。
【図６】変形例に係るファン取付用アタッチメントの平面図である。
【図７】本発明に係る簡易作業服である使い捨て防護服を示す背面図である。
【発明を実施するための形態】
【００２７】
以下、本発明の実施形態について図面を参照しつつ詳細に説明する。
【００２８】
［ファン取付用アタッチメントの構成］
図１は、本発明に係るファン取付用アタッチメントの図であり、（ａ）は平面図で、（ｂ）は断面図（（ａ）のＩ−Ｉ線断面図）でそれぞれファン取付用アタッチメントを示しており、図２は、当該ファン取付用アタッチメントが使用される簡易作業服の一例である使い捨て防護服の背面図である。
【００２９】
使い捨て防護服１０（以下、防護服１０と略す）は、一度又は数度の使用で廃棄することを前提とした簡易かつ安価な作業服であり、例えば汚れやホコリの激しい作業現場、塗装作業、或いは清掃作業に用いられるものである。ファン取付用アタッチメント１（以下、アタッチメント１と略す）は、この使い捨て防護服１０に、後記電動ファン２０を取り付けるための補強用の部材である。
【００３０】
図２に示す防護服１０は、着用者の上半身を覆う長袖の概ね作業服の構造を有した衣服本体１２を有する。衣服本体１２は、例えばポリプロピレン（ＰＰ）等の化学繊維からなる不織布で形成されており、前面部、袖部及びフード部などの特定箇所には、例えばポリエチレン（ＰＥ）の表面コート処理が施されている。このような防護服１０は、家庭の可燃物ゴミとして廃棄可能なものである。
【００３１】
アタッチメント１は、上記衣服本体１２の所望の位置に貼り付けることにより、その部分を補強して、電動ファン２０の取り付けを可能にするものである。アタッチメント１は、図１（ａ）、（ｂ）に示すように、中心に電動ファン２０を挿入するための孔部３を有した偏平、かつ平面視で円環状（ドーナッツ型）に形成されている。
【００３２】
孔部３の直径Ｄは、電動ファン２０の後記ファン本体部２１（鍔部２４ａを除く）の外径と同等（又は若干大きい値）に設定されており、アタッチメント１の幅Ｗ１（アタッチメント１の外径から孔部３の直径Ｄを差し引いた寸法）は、少なくとも電動ファン２０の後記鍔部２４ａ、２２ａの幅Ｗ２、Ｗ３と同等以上の値に設定されている。
【００３３】
アタッチメント１は、ＰＥ、ＰＰ、或いはエチレン−酢酸ビニル共重合樹脂（ＥＶＡ）等、樹脂材料からなるシート体で形成された第１層部２ａと、この第１層部２ａの片面に形成された粘着層からなる第２層部２ｂとを有している。アタッチメント１のうち、第２層部２ｂの表面（反第１層部２ａ側の表面）には、例えばＰＥからなる保護シート６が剥離可能に貼着されている。第２層部２ｂ及び保護シート６はいわゆる両面テープで構成することができ、その場合、芯となる基材がない「基材レス」或いは「ベースレス」と称される両面テープを適用することもできる。なお、アタッチメント１の第１層部２ａを形成するシート体は、ＰＥ等の樹脂材料に限定されるものではないが、低伸縮性で若干の弾力性を有し、衣服本体１２よりも強度（引張り強度）の高いものであるのが望ましい。このようなアタッチメント１は、家庭の可燃物ごみとして廃棄可能なものである。
【００３４】
［電動ファンの取付方法］
次に、上記アタッチメント１を用いて上記防護服１０に電動ファン２０を取り付ける方法について、図３及び図４を参照しつつ説明する。
【００３５】
まず、防護服１０と、電動ファン２０と、アタッチメント１とを準備し、防護服１０（衣服本体１２）のうち、電動ファン２０（以下、ファン２０と略す）を取り付ける所望の位置にアタッチメント１を貼付ける。例えば図２（仮想線）で示すように、衣服本体１２のうち、腰に対応する位置の左右２箇所にアタッチメント１を貼付ける（アタッチメント貼付工程）。
【００３６】
この場合、アタッチメント１から保護シート４を剥がし、粘着層からなる第２層部２ｂを介してアタッチメント体を衣服本体１２に押し付けるだけで、アタッチメント１を容易に衣服本体１２に貼付けることができる。
【００３７】
アタッチメント１は、衣服本体１２の外面又は内面の少なくとも一方の面に貼付ければ良いが、当例では、図３（ａ）に示すように、衣服本体１２の外面にのみアタッチメント１を貼付けるものとする。なお、衣服本体１２の外面及び内面の両方にアタッチメント１を貼付ける場合には、両アタッチメント１の孔部３の位置を合わせて貼付ける。
【００３８】
次に、衣服本体１２のうち、アタッチメント１の内側の領域を切開することにより、図３（ｂ）に示すように、当該衣服本体１２に、アタッチメント１の孔部３と同じ大きさの貫通孔１４を形成する（孔形成工程）。この場合、アタッチメント１の孔部３の内縁に沿ってカッターやハサミで衣服本体１２を切り取ることで、容易にアタッチメント１の孔部３と同じ大きさの貫通孔１４を形成することできる。
【００３９】
次に、アタッチメント１の孔部３及び前記貫通孔１４に電動ファン２０を挿入し、当該ファン２０を衣服本体１２に取り付ける。
【００４０】
ここで、ファン２０は、図４（ａ）に示すように、円柱状のファン本体部２１と、このファン本体部２１に着脱自在に外嵌（装着）される円筒状のリング部材２２とを備えて構成されている。ファン本体部２１は、ブレード２６と、これを駆動するためのモータを含む駆動部２８と、ブレード２６及び駆動部２８が収容される多孔質の樹脂製のケース２４とを備えており、ブレード２６が回転することより外気を取り込むように構成されている。ケース２４の一端には、鍔部２４ａが形成されており、リング部材２２の一端には、鍔部２４ａに対向する鍔部２２ａが形成されている。ファン本体部２１（ケース２４）の鍔部２４ａの幅Ｗ２と、リング部材２２の鍔部２２ａの幅Ｗ２とは、当例では両鍔部２２ａ、２４ａの外周面が面一になるように設定されている。
【００４１】
衣服本体１２へのファン２０の取り付けは、図４（ａ）、（ｂ）に示すように、ファン本体部２１を、衣服本体１２の外側からアタッチメント１の孔部３及び衣服本体２の貫通孔１４に挿入し、このファン本体部２１に対して衣服本体２の内側からリング部材２２を外嵌（装着）させる。これにより、図５に示すように、ファン２０を衣服本体１２に取り付ける（ファン組付工程）。つまり、アタッチメント１の孔部３の直径Ｄは、上述した通り、ファン本体部２１（鍔部２４ａ除く）の外径と同等（又は若干大きい）に設定されており、アタッチメント１の両側からファン本体部２１とリング部材２２とを合体させると、リング部材２２の鍔部２２ａとファン本体部２１の鍔部２４ａとによってアタッチメント１（孔部３の周縁部）及び衣服本体１２（貫通孔１４の周縁部）が一体に挟み込まれ、これによりファン２０が衣服本体１２に保持されることとなる。
【００４２】
なお、ファン本体部２１のケース２４には、リング部材２２を係脱可能に係止することが可能な図外のフック部が設けられている。このフック部によりケース２４がファン本体部２１に係止されることで、衣服本体１２へのファン２０の取り付け状態が維持される。従って、防護服１０を廃棄する際には、フック部によるケース２４の係止状態を解除し、ファン本体部２１とリング部材２２とを分離させることによって、防護服１０からファン２０を取り外すことが可能となる。
【００４３】
［作用効果等］
上記アタッチメント１によれば、不織布で構成された防護服１０（衣服本体１２）に貼付けることで衣服本体１２を補強でき、さらに衣服本体１２のうちアタッチメント１の孔部３に対応する部分を切開して貫通孔１４を形成すれば、当該貫通孔１４を通じて容易にファン２０を衣服本体１２に取り付けることができる。特に、アタッチメント１の孔部３の直径Ｄは、ファン本体部２１（鍔部２４ａを除く）の外径と同等（又は若干大きい）に設定されているので、衣服本体１２にファン取付用の孔部（貫通孔１４）を形成する場合には、上記のようにアタッチメント１の孔部３の縁部に沿って衣服本体１２を切り取るだけで、最適なファン取付用の孔部（貫通孔１４）を速やかに形成することができる。
【００４４】
従って、上記アタッチメント１によれば、防護服１０に対して簡単な作業で、しかも安定的にファン２０を取り付けることが可能となる。
【００４５】
また、上記アタッチメント１によれば、その幅Ｗ１が、少なくとも電動ファン２０の鍔部２４ａ、２２ａの幅Ｗ２、Ｗ３と同等以上の値に設定されているので、ファン２０の前記鍔部２２ａ、２４ａの間に確実にアタッチメント１と衣服本体１２とを挟み込むことができる。そのため、上記アタッチメント１によれば、防護服１０に対してより安定的にファン２０を取り付けることができる。
【００４６】
また、上記アタッチメント１によれば、防護服１０の所望の位置に貼付けることができるので、着用者がファン２０の取付位置や数を自由に選定できるという利点もある。
【００４７】
［変形例等］
上述したアタッチメント１及びこのアタッチメント１を用いた防護服１０へのファン２０の取り付け方法は、本発明のファン取付用アタッチメントおよびファン取付方法の好ましい実施形態の例示であって、ファン取付用アタッチメントの具体的な構成や具体的なファン取付方法は、本発明の要旨を逸脱しない範囲で適宜変更可能である。
【００４８】
例えば、上記実施形態では、アタッチメント１は平面視で円環状の形状であるが、これに限定されるものではない。例えば、図６に示すように、アタッチメント１は平面視で正方形（矩形）であってもよい。アタッチメント１は、ファン本体部２１の鍔部２４ａとリング部材２２との間に確実に挟み込まれれば良いので、全周に亘って少なくとも前記鍔部２４ａの幅Ｗ２と同等以上の幅Ｗ１を有するものであれば、その輪郭となる形状は、ファン２０の形状等に応じて所望の形状を選定することができる。但し、アタッチメント１の輪郭は、そのコーナ部分によって衣服本体１２が損傷することを抑制するために、全周に亘って丸味を帯びた形状であるのが望ましい（図６参照）。同様に、アタッチメント１の孔部３の形状も、円形に限定されるものではなく、例えばファン２０（ファン本体部２１）の断面形状が矩形である場合には、その断面形状に対応した形状としてもよい。
【００４９】
また、上記実施形態では言及していないが、アタッチメント１は、第１層部２ａの表面（反第２層部２ｂ側の表面）に滑り止めを備えるものであってもよい。滑り止めの例示としては、第１層部２ａの表面にゴム等からなる薄い滑り止め層を設ける、或いは第１層部２ａの表面自体にエンボス加工を施すことが考えられる。このような構成によれば、アタッチメント１に対するファン２０の位置ずれが効果的に抑制されるため、防護服１０に取り付けられたファン２０の位置安定性が向上する。
【００５０】
また、アタッチメント１の第１層部２ａは、ＰＥ、ＰＰ、或いはエチレン−酢酸ビニル共重合樹脂（ＥＶＡ）等からなるシート状の発泡体で形成されていてもよい。この構成によれば、アタッチメント１の全体が適度の弾性を有し、ファン２０の前記鍔部２２ａ、２４ａに挟み込まれた時に圧縮変形するため、防護服１０に対するファン２０の位置安定性が向上する。
【００５１】
また、上記実施形態では、防護服１０（衣服本体１２）は、着用者の上半身を覆う構造を有したものであるが、勿論、アタッチメント１は、着用者の全身を覆う、いわゆるつなぎタイプの作業服の構造を有するものにも適用可能である。
【００５２】
［本発明に係る簡易作業服の構成］
図７は、本発明に係る簡易作業服の一例である使い捨て防護服の背面図である。
【００５３】
この図に示す防護服３０も、図２の防護服１０と同様に、汚れやホコリの激しい作業現場、塗装作業、或いは清掃作業に用いられるものである。
【００５４】
防護服３０は、着用者の全身を覆う、つなぎタイプの作業服の構造を有した衣服本体３２と、上記ファン２０を後付けするたに、当該衣服本体３２に取り付けられた補強部材３４と備えている。
【００５５】
衣服本体３２は、図２の防護服１０（衣服本体１２）と同様に、例えばポリプロピレン（ＰＰ）等の化学繊維からなる不織布で形成されており、前面部、袖部及びフード部などの特定箇所には、例えばポリエチレン（ＰＥ）の表面コート処理が施されている。
【００５６】
補強部材３４は、衣服本体１２の外面のうち、腰に対応する位置の左右２箇所に取り付けられている。補強部材３４は、図１のアタッチメント１と同一のものである。すなわち、図示を省略するが、補強部材３４は、中心に電動ファン２０を挿入するための孔部３を有した偏平かつ平面視で円環状（ドーナッツ型）に形成されており、ＰＥ、ＰＰ、或いはエチレン−酢酸ビニル共重合樹脂（ＥＶＡ）等、樹脂材料からなるシート体で形成された第１層部２ａと、この第１層部２ａの片面に形成された粘着層からなる第２層部２ｂとを有している。そして、第２層部２ｂを介して、衣服本体１２の外面のうち、腰に対応する位置の左右２箇所に貼付けられている。このような防護服３０は、家庭の可燃物ごみとして廃棄可能なものである。
【００５７】
要するに、図７に示す防護服３０は、ファン２０を取り付けるための上記アタッチメント１と同一構造を有する補強部材３４が予め衣服本体１２に取り付けられたものである。
【００５８】
このような防護服３０によれば、必要に応じて、上述した取付方法（図３、図４参照）に準じてファン２０を取り付けることができる。すなわち、衣服本体３２のうち、補強部材３４の内側の領域を切開することにより、補強部材３４の孔部３と同じ大きさの貫通孔１４を形成し（孔形成工程）、その後、ファン本体部２１を、衣服本体１２の外側から補強部材３４の孔部３及び衣服本体２の貫通孔１４に挿入し、このファン本体部２１に対して衣服本体３２の内側からリング部材２２を外嵌（装着）させる（ファン組付工程）。これにより、ファン２０を衣服本体３２（防護服３０）に取り付けることができる。従って、この防護服３０によれば、着用者の必要に応じて、簡単な作業でファン２０を安定的に防護服３０に取り付けることが可能となる。
【００５９】
なお、図７の例では、防護服３０は、衣服本体３２の外面にだけ補強部材３４が取り付けられた構造であるが、衣服本体３２の内面にだけ、又は衣服本体３２の内面及び外面の双方に補強部材３４が取り付けられた構造を採用することもできる。
【００６０】
また、図７の例では、補強部材３４は、図１のアタッチメント１と同一のものであり、衣服本体３２に貼付けられている。しかし、補強部材３４は、貼付け以外の取り付け方法、例えば縫着によって取り付けられていてもよい。この場合には、粘着層である第２層部２ｂを省略するようにしてもよい。
【００６１】
なお、補強部材３４は、上記の通り図１のアタッチメント１と同等の構成を有するものであるから、上記［変形例等］の項で説明したアタッチメント１の構成は、図７の防護服３０の補強部材３４の構成としても採用することが可能である。
【符号の説明】
【００６２】
１  アタッチメント
２ａ  第１層部
２ｂ  第２層部
３  孔部
４  保護シート
１０  防護服（簡易作業服）
２０  電動ファン
２１  ファン本体部
２２  リング部材
【図１】
2020033927.tif 000003
【図２】
2020033927.tif 000004
【図３】
2020033927.tif 000005
【図４】
2020033927.tif 000006
【図５】
2020033927.tif 000007
【図６】
2020033927.tif 000008
【図７】
2020033927.tif 000009
【手続補正書】
【提出日】令和1年10月18日(2019.10.18)
【手続補正１】
【補正対象書類名】特許請求の範囲
【補正対象項目名】全文
【補正方法】変更
【補正の内容】
【特許請求の範囲】
【請求項１】
ブレード及びこれを駆動する駆動部を備えかつ外周に鍔部を備えたファン本体部と、このファン本体部の外周面上に係止され、前記鍔部と共に被取付物を挟持するリング部材とを備えた電動ファンを、不織布からなる衣服本体を有する簡易作業服に取り付けるためのアタッチメントであって、
前記ファン本体部のうち前記鍔部以外の部分を挿入可能な孔部を有する偏平かつ平面視で環状を成し、前記不織布よりも強度の高いシート状の発泡体からなる第１層部と、
前記第１層部の片面に形成され、前記衣服本体に貼着可能な粘着層からなる第２層部と、を含み、
前記第２層部の表面に、剥離可能な保護シートが貼着されている、ことを特徴とするファン取付用アタッチメント。
【請求項２】
請求項１に記載のファン取付用アタッチメントにおいて、
全周に亘って少なくとも前記鍔部の幅寸法と同等以上の幅寸法を有する、ことを特徴とするファン取付用アタッチメント。
【請求項３】
不織布からなる衣服本体と、
この衣服本体の所定位置であって当該衣服本体の外面又は内面の少なくとも一方の面に取り付けられた補強部材と、を備えた簡易作業服であって、
前記補強部材は、電動ファンを挿入可能な孔部を有する偏平かつ平面視で環状を成し、前記不織布よりも強度の高いシート状の発泡体からなることを特徴とする簡易作業服。
【請求項４】
請求項３に記載の簡易作業服において、
前記電動ファンは、ブレード及びこれを駆動する駆動部を備えかつ外周に鍔部を備えたファン本体部と、このファン本体部の外周面上に係止され、前記鍔部と共に被取付物を挟持するリング部材とを備えた構成を有するものであって、
前記補強部材の孔部は、前記ファン本体部のうち前記鍔部以外の部分が挿入されることを許容する大きさを有する、ことを特徴とする簡易作業服。
【請求項５】
請求項４に記載の簡易作業服において、
前記補強部材は、その全周に亘って少なくとも前記鍔部の幅寸法と同等以上の幅寸法を有する、ことを特徴とする簡易作業服。
【請求項６】
請求項３乃至５の何れか一項に記載の簡易作業服において、
前記衣服本体は、着用者の上半身又は略全身を覆う形状を有し、
前記補強部材は、前記衣服本体のうち腰に対応する位置の左右２箇所に設けられている、ことを特徴とする簡易作業服。
【請求項７】
請求項３乃至６の何れか一項に記載の簡易作業服において、
前記補強部材は、前記衣服本体に貼付けられている、ことを特徴とする簡易作業服。
【手続補正３】
【補正対象書類名】明細書
【補正対象項目名】０００１
【補正方法】変更
【補正の内容】
【０００１】
本発明は、使い捨て防護服などの簡易作業服に電動ファンを取り付けるためのファン取付用アタッチメント及び簡易作業服に関するものである。
【手続補正４】
【補正対象書類名】明細書
【補正対象項目名】０００６
【補正方法】変更
【補正の内容】
【０００６】
本発明の一局面に係るアタッチメントは、ブレード及びこれを駆動する駆動部を備えかつ外周に鍔部を備えたファン本体部と、このファン本体部の外周面上に係止され、前記鍔部と共に被取付物を挟持するリング部材とを備えた電動ファンを、不織布からなる衣服本体を有する簡易作業服に取り付けるためのアタッチメントであって、前記ファン本体部のうち前記鍔部以外の部分を挿入可能な孔部を有する偏平かつ平面視で環状を成し、前記不織布よりも強度の高いシート状の発泡体からなる第１層部と、前記第１層部の片面に形成され、前記衣服本体に貼着可能な粘着層からなる第２層部と、を含み、前記第２層部の表面に、剥離可能な保護シートが貼着されているものである。
【手続補正５】
【補正対象書類名】明細書
【補正対象項目名】０００７
【補正方法】削除
【補正の内容】
【手続補正６】
【補正対象書類名】明細書
【補正対象項目名】０００８
【補正方法】変更
【補正の内容】
【０００８】
上記アタッチメントによれば、不織布などの比較的弱い生地で構成された衣服本体のうち、所望の場所をアタッチメントによって簡単に補強でき、その補強された部分に電動ファンを取り付けることができる。そのため、簡易作業服に対して簡単に、しかも安定的に電動ファンを取り付けることが可能となる。
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】変更
【補正の内容】
【００１３】
一方、本発明の一の局面に係る簡易作業服は、不織布からなる衣服本体と、この衣服本体の所定位置であって当該衣服本体の外面又は内面の少なくとも一方の面に取り付けられた補強部材と、を備えた簡易作業服であって、前記補強部材は、電動ファンを挿入可能な孔部を有する偏平かつ平面視で環状を成し、前記不織布よりも強度の高いシート状の発泡体からなるものである。
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】変更
【補正の内容】
【００１６】
上記簡易作業服によれば、必要に応じて、簡単に電動ファンを簡易作業服に取り付けることが可能となる。
【手続補正１２】
【補正対象書類名】明細書
【補正対象項目名】００２３
【補正方法】削除
【補正の内容】
【手続補正１３】
【補正対象書類名】明細書
【補正対象項目名】００２４
【補正方法】削除
【補正の内容】